(57)【特許請求の範囲】
【請求項１】
２つ以上のセルからユーザ機器への協調信号の送信と、隣接基地局と同期しない非協調信号の送信とを混合する少なくとも１つの基地局を含む混合協調／非協調ネットワークにおいてダウンチルト角を制御するための方法であって、前記方法は、
基地局が、前記基地局のアンテナを介して送信されるべき波形を定義する１つまたは複数の入力信号を受信することと、
前記１つまたは複数の入力信号によって定義された前記波形のタイプを判断することであって、前記１つまたは複数の入力信号のうちの１つがシングルセルユニキャスト波形であるのか、マルチセル単一周波数ネットワーク（ＳＦＮ）ユニキャスト波形であるのか、またはブロードキャストＳＦＮ波形であるのかを判断することを備える、判断することと、
現在の時間、送信されるべき前記波形の前記タイプ、または送信されるべき波形の前記タイプのサブタイプのうちの少なくとも１つに依存して前記ダウンチルト角を時間とともに変動させることであって、波形の前記タイプは、異なる時刻に異なるダウンチルト角を有し、前記波形の前記タイプの各サブタイプは、対応するネットワークのそれぞれのサイズに基づくチルト角を備える、変動させることと、
ネットワーク制御エンティティからチルト制御情報を受信することに応じて、前記波形の前記タイプに基づいて前記アンテナに適用されるべきダウンチルト角を判断することであって、前記チルト制御情報が、マルチメディアブロードキャストマルチキャストサービス協調エンティティまたはモビリティ管理エンティティのうちの少なくとも１つから受信または導出されたタイミングとダウンチルト角とを備える、判断することと、
前記判断されたダウンチルト角が、前記アンテナに関連する現在のダウンチルト角とは異なる場合、前記現在のダウンチルト角を調整するためにチルト制御信号を送信することと
を備える、方法。
【請求項２】
前記１つまたは複数の入力信号が、前記波形に対応する前記ダウンチルト角を明示的に定義する、請求項１に記載の方法。
【請求項３】
前記１つまたは複数の入力信号が、その上でデータが送信されるべき物理レイヤ波形の前記タイプを定義する、請求項１に記載の方法。
【請求項４】
適用されるべき前記ダウンチルト角を判断することが、前記判断されたタイプに対応する記憶されたダウンチルト角を取り出すことをさらに備える、請求項１に記載の方法。
【請求項５】
波形の各タイプが、異なるダウンチルト角に対応する、請求項１に記載の方法。
【請求項６】
適用されるべきダウンチルト角を判断することが、各波形タイプに割り当てられた少なくとも１つのダウンチルト角の中でダウンチルト角を選択することを備える、請求項１に記載の方法。
【請求項７】
前記マルチセルＳＦＮユニキャスト波形と前記ブロードキャストＳＦＮ波形とが協調波形を備える、請求項１に記載の方法。
【請求項８】
前記波形が、複数の異なるタイムスロット中に複数の異なるチャネルを備え、前記アンテナの前記現在のダウンチルト角を調整することが、異なる判断されたダウンチルト角に対応する異なる判断された波形タイプを有する２つの連続するタイムスロットの各々の間の前記ダウンチルト角を変更することをさらに備える、請求項１に記載の方法。
【請求項９】
前記１つまたは複数の入力信号が、時間期間中に送信されるべき複数の異なる波形を表し、前記チルト制御信号を送信することが、前記複数の異なる波形の各々に対応するダウンチルト角のシーケンスを備える複数のチルト制御信号を送信することをさらに備え、前記方法が、
前記複数のチルト制御信号中のダウンチルト角の前記シーケンスに基づいて前記時間期間にわたって前記ダウンチルト角を調整すること
をさらに備える、請求項１に記載の方法。
【請求項１０】
前記ダウンチルト角を調整することが、１時間未満で複数回前記ダウンチルト角を変更することをさらに備える、請求項９に記載の方法。
【請求項１１】
前記ダウンチルト角を調整することが、１分未満で複数回前記ダウンチルト角を変更することをさらに備える、請求項９に記載の方法。
【請求項１２】
前記ダウンチルト角を調整することが、１秒未満で複数回前記ダウンチルト角を変更することをさらに備える、請求項９に記載の方法。
【請求項１３】
前記チルト制御信号が、前記波形の一部分の送信位相を調整するための制御信号を備える、請求項９に記載の方法。
【請求項１４】
前記アンテナがアンテナアレイを備え、前記波形の前記一部分の前記送信位相を調整することが、前記アンテナアレイのサブセットに対応する複数のアンテナ係数のサブセットの前記送信位相を調整することを備える、請求項１３に記載の方法。
【請求項１５】
前記アンテナが、複数のアンテナアレイ素子を有するアンテナアレイを備え、前記チルト制御信号が、前記複数のアンテナアレイ素子のうちの少なくとも１つのために前記波形の送信位相を調整するための制御信号を備える、請求項１に記載の方法。
【請求項１６】
前記アンテナが、複数のアンテナアレイ素子を有するアンテナアレイを備え、前記チルト制御信号が、前記複数のアンテナアレイ素子のうちの少なくとも１つのために前記波形の送信振幅を調整するための制御信号を備える、請求項１に記載の方法。
【請求項１７】
前記アンテナが、複数のアンテナアレイ素子を有するアンテナアレイを備え、前記チルト制御信号が、前記複数のアンテナアレイ素子のうちの少なくとも１つのために前記波形の送信位相と送信振幅とを調整するための制御信号を備える、請求項１に記載の方法。
【請求項１８】
前記波形の前記タイプの前記サブタイプを判断することをさらに備え、前記波形の同じタイプについての前記ダウンチルト角が、前記波形の前記サブタイプに応じて変動する、請求項１に記載の方法。
【請求項１９】
前記波形の前記タイプが協調タイプを備え、前記波形の前記タイプの前記サブタイプがユニキャストサブタイプまたはブロードキャストサブタイプを備える、請求項１８に記載の方法。
【請求項２０】
前記ダウンチルト角を判断することが前記ネットワークのサイズにさらに基づき、前記波形の同じタイプについての前記ダウンチルト角が、前記混合協調／非協調ネットワークの前記サイズに応じて変動する、請求項１に記載の方法。
【請求項２１】
前記ダウンチルト角を判断することが時刻にさらに基づき、前記波形の同じタイプについての前記ダウンチルト角が、前記時刻に応じて変動する、請求項１に記載の方法。
【請求項２２】
前記チルト制御信号に基づいて前記ダウンチルト角を調整することをさらに備える、請求項１に記載の方法。
【請求項２３】
前記アンテナが、複数のアンテナアレイ素子を有するアンテナアレイを備え、前記ダウンチルト角を調整することが、前記複数のアンテナアレイ素子のうちの少なくとも１つのために前記波形の位相を調整するための切り替え遅延位相シフタに前記チルト制御信号を印加することを備える、請求項２２に記載の方法。
【請求項２４】
前記アンテナが、複数のアンテナアレイ素子を有するアンテナアレイを備え、前記アンテナを調整することが、前記複数のアンテナアレイ素子のうちの少なくとも１つのために前記波形の位相を調整するためのハイブリッドベース位相シフタに前記チルト制御信号を印加することを備える、請求項２２に記載の方法。
【請求項２５】
前記アンテナが、複数のアンテナアレイ素子を有するアンテナアレイを備え、前記アンテナを調整することが、前記複数のアンテナアレイ素子のうちの少なくとも１つのために前記波形の位相を調整するための１／４波長位相シフタに前記チルト制御信号を印加することを備える、請求項２２に記載の方法。
【請求項２６】
２つ以上のセルからユーザ機器への協調信号の送信と、隣接基地局と同期しない非協調信号の送信とを混合する少なくとも１つの基地局を含む混合協調／非協調ネットワークにおいてダウンチルト角を制御するための装置であって、
アンテナを介して送信されるべき波形を定義する１つまたは複数の入力信号を受信することと、
前記１つまたは複数の入力信号によって定義された前記波形のタイプを判断することであって、前記１つまたは複数の入力信号のうちの１つがシングルセルユニキャスト波形であるのか、マルチセル単一周波数ネットワーク（ＳＦＮ）ユニキャスト波形であるのか、またはブロードキャストＳＦＮ波形であるのかを判断することを備える、判断することと、
現在の時間、送信されるべき前記波形の前記タイプ、または送信されるべき波形の前記タイプのサブタイプのうちの少なくとも１つに依存して前記ダウンチルト角を時間とともに変動させることであって、波形の前記タイプは、異なる時刻に異なるダウンチルト角を有し、前記波形の前記タイプの各サブタイプは、対応するネットワークのそれぞれのサイズに基づくチルト角を備える、変動させることと、
ネットワーク制御エンティティからチルト制御情報を受信することに応じて、前記１つまたは複数の入力信号によって定義された前記波形の前記タイプに基づいて前記アンテナに適用されるべきダウンチルト角を判断することであって、前記チルト制御情報が、マルチメディアブロードキャストマルチキャストサービス協調エンティティまたはモビリティ管理エンティティのうちの少なくとも１つから受信または導出されたタイミングとダウンチルト角とを備える、判断することと、
前記アンテナに関連する現在のダウンチルト角を前記判断されたダウンチルト角と比較することと、前記現在のダウンチルト角と前記判断されたダウンチルト角とが異なる場合、前記ダウンチルト角を調整するためにチルト制御信号を送信することと
を行うように構成された少なくとも１つのプロセッサと、
前記少なくとも１つのプロセッサに結合されたメモリと
を備える、装置。
【請求項２７】
前記１つまたは複数の入力信号が、前記波形に対応する前記ダウンチルト角を明示的に定義する、請求項２６に記載の装置。
【請求項２８】
前記プロセッサが、前記判断されたタイプに対応する記憶されたダウンチルト角を取り出すようにさらに構成された、請求項２６に記載の装置。
【請求項２９】
波形の各タイプが、異なるダウンチルト角に対応する、請求項２６に記載の装置。
【請求項３０】
前記プロセッサが、各波形タイプに割り当てられた少なくとも１つのダウンチルト角の中でダウンチルト角を選択するようにさらに構成された、請求項２６に記載の装置。
【請求項３１】
前記マルチセルＳＦＮユニキャスト波形と前記ブロードキャストＳＦＮ波形とが協調波形を備える、請求項２６に記載の装置。
【請求項３２】
前記波形が、複数の異なるタイムスロット中に複数の異なるチャネルを備え、前記プロセッサが、異なる判断されたダウンチルト角に対応する異なる判断された波形タイプを有する２つの連続するタイムスロットの各々の間の前記現在のダウンチルト角を変更するようにさらに構成された、請求項２６に記載の装置。
【請求項３３】
前記１つまたは複数の入力信号が、時間期間中に送信されるべき複数の異なる波形を表し、前記プロセッサが、前記複数の異なる波形の各々に対応するダウンチルト角のシーケンスを備える複数のチルト制御信号を送信し、前記複数のチルト制御信号中のダウンチルト角の前記シーケンスに基づいて前記時間期間にわたって前記ダウンチルト角を調整するようにさらに構成された、請求項２６に記載の装置。
【請求項３４】
前記チルト制御信号が、前記波形の一部分の送信位相を調整するための制御信号を備える、請求項３３に記載の装置。
【請求項３５】
前記アンテナがアンテナアレイを備え、前記プロセッサが、前記アンテナアレイのサブセットに対応する複数のアンテナ係数のサブセットの前記送信位相を調整するようにさらに構成された、請求項３４に記載の装置。
【請求項３６】
前記アンテナが、複数のアンテナアレイ素子を有するアンテナアレイを備え、前記チルト制御信号が、前記複数のアンテナアレイ素子のうちの少なくとも１つのために前記波形の送信位相を調整するための制御信号を備える、請求項２６に記載の装置。
【請求項３７】
前記アンテナが、複数のアンテナアレイ素子を有するアンテナアレイを備え、前記チルト制御信号が、前記複数のアンテナアレイ素子のうちの少なくとも１つのために前記波形の送信振幅を調整するための制御信号を備える、請求項２６に記載の装置。
【請求項３８】
前記アンテナが、複数のアンテナアレイ素子を有するアンテナアレイを備え、前記チルト制御信号が、前記複数のアンテナアレイ素子のうちの少なくとも１つのために前記波形の送信位相と送信振幅とを調整するための制御信号を備える、請求項２６に記載の装置。
【請求項３９】
前記プロセッサが、前記波形の前記タイプの前記サブタイプを判断するようにさらに構成され、波形の同じタイプについての前記ダウンチルト角が、前記波形の前記サブタイプに応じて変動する、請求項２６に記載の装置。
【請求項４０】
波形の前記タイプが協調タイプを備え、前記波形の前記タイプの前記サブタイプがユニキャストサブタイプまたはブロードキャストサブタイプを備える、請求項３９に記載の装置。
【請求項４１】
前記プロセッサが、前記ネットワークのサイズに基づいて前記ダウンチルト角を判断するようにさらに構成され、前記波形の同じタイプについての前記ダウンチルト角が、前記混合協調／非協調ネットワークの前記サイズに応じて変動する、請求項２６に記載の装置。
【請求項４２】
前記プロセッサが、時刻に基づいて前記ダウンチルト角を判断するようにさらに構成され、前記波形の同じタイプについての前記ダウンチルト角が、前記時刻に応じて変動する、請求項２６に記載の装置。
【請求項４３】
前記プロセッサが、前記チルト制御信号に基づいて前記ダウンチルト角を調整するようにさらに構成された、請求項２６に記載の装置。
【請求項４４】
前記アンテナが、複数のアンテナアレイ素子を有するアンテナアレイを備え、前記プロセッサが、前記複数のアンテナアレイ素子のうちの少なくとも１つのために前記波形の位相を調整するための切り替え遅延位相シフタに前記チルト制御信号を印加するように構成された、請求項４３に記載の装置。
【請求項４５】
前記アンテナが、複数のアンテナアレイ素子を有するアンテナアレイを備え、前記プロセッサが、前記複数のアンテナアレイ素子のうちの少なくとも１つのために前記波形の位相を調整するためのハイブリッドベース位相シフタに前記チルト制御信号を印加するように構成された、請求項４３に記載の装置。
【請求項４６】
前記アンテナが、複数のアンテナアレイ素子を有するアンテナアレイを備え、前記プロセッサが、前記複数のアンテナアレイ素子のうちの少なくとも１つのために前記波形の位相を調整するための１／４波位相シフタに前記チルト制御信号を印加するように構成された、請求項４３に記載の装置。
【請求項４７】
２つ以上のセルからユーザ機器への協調信号の送信と、隣接基地局と同期しない非協調信号の送信とを混合する少なくとも１つの基地局を含む混合協調／非協調ネットワークにおいてダウンチルト角を制御するためのコンピュータ可読媒体であって、前記コンピュータ可読媒体は、
コンピュータに、アンテナを介して送信されるべき波形を定義する１つまたは複数の入力信号を受信させるための少なくとも１つの命令と、
前記コンピュータに、前記１つまたは複数の入力信号によって定義された前記波形のタイプを判断させるための少なくとも１つの命令であって、前記１つまたは複数の入力信号のうちの１つがシングルセルユニキャスト波形であるのか、マルチセル単一周波数ネットワーク（ＳＦＮ）ユニキャスト波形であるのか、またはブロードキャストＳＦＮ波形であるのかを判断することを備える、判断させるための少なくとも１つの命令と、
前記コンピュータに、現在の時間、送信されるべき前記波形の前記タイプ、または送信されるべき波形の前記タイプのサブタイプのうちの少なくとも１つに依存して前記ダウンチルト角を時間とともに変動させるための少なくとも１つの命令であって、波形の前記タイプは、異なる時刻に異なるダウンチルト角を有し、前記波形の前記タイプの各サブタイプは、対応するネットワークのそれぞれのサイズに基づくチルト角を備える、変動させるための少なくとも１つの命令と、
前記コンピュータに、ネットワーク制御エンティティからチルト制御情報を受信することに応じて、前記１つまたは複数の入力信号によって定義された前記波形の前記タイプに基づいて前記アンテナに適用されるべきダウンチルト角を判断させるための少なくとも１つの命令であって、前記チルト制御情報が、マルチメディアブロードキャストマルチキャストサービス協調エンティティまたはモビリティ管理エンティティのうちの少なくとも１つから受信または導出されたタイミングとダウンチルト角とを備える、判断させるための少なくとも１つの命令と、
前記コンピュータに、前記アンテナに関連する現在のダウンチルト角を前記判断されたダウンチルト角と比較することと、前記現在のダウンチルト角と前記判断されたダウンチルト角とが異なる場合、前記現在のダウンチルト角を調整するためにチルト制御信号を送信することとを行わせるための少なくとも１つの命令と
を備える、コンピュータ可読媒体。
【請求項４８】
２つ以上のセルからユーザ機器への協調信号の送信と、隣接基地局と同期しない非協調信号の送信とを混合する少なくとも１つの基地局を含む混合協調／非協調ネットワークにおいてダウンチルト角を制御するための装置であって、前記装置は、
アンテナを介して送信されるべき波形を定義する１つまたは複数の入力信号を受信するための手段と、
前記１つまたは複数の入力信号によって定義された前記波形のタイプを判断するための手段であって、前記１つまたは複数の入力信号のうちの１つがシングルセルユニキャスト波形であるのか、マルチセル単一周波数ネットワーク（ＳＦＮ）ユニキャスト波形であるのか、またはブロードキャストＳＦＮ波形であるのかを判断することを備える、判断するための手段と、
現在の時間、送信されるべき前記波形の前記タイプ、または送信されるべき波形の前記タイプのサブタイプのうちの少なくとも１つに依存して前記ダウンチルト角を時間とともに変動させるための手段であって、波形の前記タイプは、異なる時刻に異なるダウンチルト角を有し、前記波形の前記タイプの各サブタイプは、対応するネットワークのそれぞれのサイズに基づくチルト角を備える、変動させるための手段と、
ネットワーク制御エンティティからチルト制御情報を受信することに応じて、前記１つまたは複数の入力信号によって定義された前記波形の前記タイプに基づいて前記アンテナに適用されるべきダウンチルト角を判断するための手段であって、前記チルト制御情報が、マルチメディアブロードキャストマルチキャストサービス協調エンティティまたはモビリティ管理エンティティのうちの少なくとも１つから受信または導出されたタイミングとダウンチルト角とを備える、判断するための手段と、
前記判断されたダウンチルト角が、前記アンテナに関連する現在のダウンチルト角とは異なる場合、前記現在のダウンチルト角を調整するためにチルト制御信号を送信するための手段と
を備える、装置。
【発明の詳細な説明】
【米国特許法第１１９条に基づく優先権の主張】
【０００１】
本特許出願は、本出願の譲受人に譲渡され、参照により本明細書に明確に組み込まれる、２０１１年７月２１日に出願された「Apparatus and Method for Wireless Network Enhancement Via Variable Down Tilt」と題する仮出願第６１／５１０，３５１号の優先権を主張する。
【技術分野】
【０００２】
本出願は、一般にワイヤレスネットワークにおいてネットワーク容量を改善することに関する。
【背景技術】
【０００３】
ユニキャストネットワークは、一般にサービングセルにおけるユニキャスト容量のために最適化される。隣接するセルからの信号は、ロングタームエボリューション（ＬＴＥ）および広帯域符号分割多元接続（ＷＣＤＭＡ（登録商標））などのシステムに対して潜在的に干渉しているので、基地局は、潜在的に干渉している近隣セルと比較してサービスサポートセルの干渉を最小限に抑えるように構成される。
【０００４】
ユニキャスト干渉を最小限に抑えるために使用される技法の中には、ダウンチルト（down tilt）がある。ダウンチルトは、地平線に対する送信信号の主ビームのピークの角度を指す。マルチキャストブロードキャスト単一周波数ネットワーク（ＭＢＳＦＮ）は、受信信号対雑音比（ＳＮＲ）を向上させ、したがって、ブロードキャストシステムにおけるカバレージまたはサポートされるビットレートを向上させる技法である。単一周波数ネットワーク（ＳＦＮ）送信の場合、近隣セルは、サービングセル送信への干渉を生じる信号ではなく、有用な信号を送信し得る。近隣セルは干渉しているのではなく協働しているので、ブロードキャストネットワークは、１度または場合によっては２度のダウンチルトで動作する傾向があるが、ユニキャストネットワークは、しばしば数度以上のダウンチルトで動作させられる。
【０００５】
多地点ユニキャスト送信は、ユニキャスト性能を向上させるために導入された。多地点送信の場合、（マクロ、ピコおよびリモートラジオヘッド（ＲＲＨ）などを含む）複数のセルが互いに協調し、同期方式で同じユーザにデータをジョイント送信し得る。この場合、ジョイント送信に関連するダウンチルトは、シングルセルから送られるユニキャスト送信の場合のダウンチルトとは異なることがある（潜在的に減少し得る）。
【０００６】
いくつかの従来のソリューションは、ユニキャストネットワーク内のダウンチルトの日周変動（diurnal variation）を利用する。しかしながら、この種のチルト変動は、概してトラフィックローディングの日周変動に関係する。ダウンチルト変動のこの使用の主要な態様は、ダウンチルトの変動が達成される速さである。具体的には、典型的な日周変動の場合の変化の頻度は、毎日数回である。したがって、これらのソリューションは、ブロードキャスト／ユニキャスト単一周波数送信とユニキャスト多地点送信ＴＤＭアプリケーションとの間の変化の頻度が毎秒多数回であり得る、ワイヤレスネットワークにおける送信に対処しない。
【０００７】
したがって、ワイヤレスネットワークにおけるネットワーク容量の改善が望まれる。
【発明の概要】
【０００８】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００９】
一態様では、ワイヤレスネットワークにおいてアンテナダウンチルトを制御するための方法は、送信されるべき波形を定義する１つまたは複数の入力信号を受信することと、１つまたは複数の入力信号に基づいてアンテナに適用されるべきチルト角状態（tilt angle state）を判断することと、判断されたチルト角状態が、アンテナに関連する現在のチルト角状態とは異なる場合、チルト制御信号を送信することとを含む。
【００１０】
他の関係する態様では、コンピュータ可読媒体は、上述の方法の動作を実行するためにコンピュータによって実行可能な少なくとも１つの命令を有し得、装置は、上述の方法の動作を実行するための少なくとも１つの手段を含み得、装置は、上述の方法の動作を実行するための少なくとも１つのプロセッサを含み得る。
【００１１】
上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１２】
添付の図面とともに以下に説明する開示する態様は、開示する態様を限定するためではなく、開示する態様を例示するために与えられ、同様の表示は同様の要素を示す。
【図１】本明細書で説明する、アンテナダウンチルトを制御するための装置の一態様の概略図。
【図２】図１の態様による、時間に対する、１つまたは複数の入力信号と対応するダウンチルト角状態との一態様のグラフ。
【図３Ａ】ダウンチルト判断器構成要素の一態様の概略ブロック図。
【図３Ｂ】ＭＢＳＦＮサービスを提供またはサポートするためのワイヤレス通信システムの構成要素を示すブロック図。
【図４】基地局またはｅノードＢの一態様の概略ブロック図。
【図５】位相および／または振幅調整器の一態様の概略図。
【図６】位相および／または振幅調整器の別の態様の概略図。
【図７】位相および／または振幅調整器の別の態様の概略図。
【図８】位相および／または振幅調整器のさらに別の態様の概略図。
【図９】位相および／または振幅調整器の追加の態様の概略図。
【図１０】アンテナダウンチルトを制御するための方法の一態様を示すフローチャート。
【図１１】アンテナダウンチルトを制御するための装置の一態様の概略ブロック図。
【図１２】説明する装置および方法による、単一周波数ネットワーク送信の場合と、マルチ周波数ネットワーク送信の場合との異なるチルト角間を調整することによって、より高いデータ容量が達成されるシミュレーション結果のテーブル。
【詳細な説明】
【００１３】
次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００１４】
本明細書で詳細に説明するように、ワイヤレスネットワークにおいてアンテナダウンチルトを制御するための方法および装置が提供される。本明細書で使用する「混合協調／非協調（mixed coordinated/non-coordinated）」ネットワークという句は、協調送信と非協調送信との混合を含む送信を有する、任意の通信ネットワーク、あるいは基地局またはｅノードＢに関係する。本明細書で使用する協調送信は、２つ以上のセルが協調してＵＥに信号を送信する送信を指す。協調送信は、たとえば、ブロードキャスト送信およびマルチセルユニキャスト送信を含み得る。本明細書で使用する非協調送信は、たとえば、シングルセルユニキャスト送信など、情報を送信するための最良サーバが選定される送信を指す。言い換えれば、混合協調／非協調ネットワークは、協調信号の送信を非協調信号の送信と混合する基地局またはｅノードＢを含み、非協調信号の送信は、他の隣接基地局またはｅノードＢからの送信と同期されず、したがって、他の隣接基地局またはｅノードＢからの送信を干渉し得る。さらに、いくつかの態様では、混合協調／非協調ネットワークにおける基地局またはｅノードＢは、毎秒多数回、協調送信と非協調送信との間で切り替わり得る。
【００１５】
入力信号が基地局において受信されたとき、基地局は、１つまたは複数の入力信号に基づいて、アンテナに適用されるべきチルト角状態を判断する。判断されたチルト角状態がアンテナの現在のチルト角状態とは異なる場合、基地局は、アンテナコントローラに、アンテナのダウンチルト状態を調整するためのチルト制御信号を送信する。一態様では、制御信号は、判断されたチルト角状態に対応する所望のチルト角、すなわち、ダウンチルトを達成するために、送信された波形の一部分の位相および／または振幅を変動させ得る。たとえば、チルト角状態は、送信されるべき波形のタイプに基づいて変動し得る。したがって、いくつかの態様では、基地局は、入力信号に基づいて、送信されるべき波形のタイプ（たとえば、シングルセルユニキャスト波形などの非協調送信、あるいはマルチセルユニキャストまたはブロードキャスト波形などの協調送信）を判断し得、それによって、波形を送信するために使用されるべきアンテナチルト角状態を判断する。別の態様では、チルト角状態は、チルト角状態の１つまたは複数の入力信号中の明示的指示から判断され得る。いずれの場合も、説明する方法および装置は、送信されるべき波形を定義する入力信号に基づいて、アンテナのダウンチルト角を潜在的に毎秒多数回、動的に変更する。したがって、一態様では、本明細書で説明する原理に従って混合協調／非協調ネットワークにおいて動作する装置および方法は、ネットワーク容量を改善し得る。
【００１６】
図１および図２を参照すると、送信されるべき波形を定義する入力信号に基づいて送信アンテナダウンチルトを制御するためのシステムを示すハイレベルブロック図は、ユニキャスト信号などの非協調信号１１２と、ブロードキャスト信号またはマルチセルユニキャスト信号などの協調信号１１４の両方を送信するように構成されたアンテナ１１０を有する基地局またはｅノードＢ１００を含む。したがって、基地局またはｅノードＢ１００は、混合協調／非協調通信ネットワークを形成するか、または混合協調／非協調通信ネットワークの一部になり得る。非協調信号ダウンチルト角１１６は、地平線１１９と非協調信号１１２の主ビームのピークとの間の角度を表すものとして定義され得る。同様に、協調ダウンチルト角１１８は、地平線１１９と協調信号１１４の主ビームのピークとの間の角度を表すものとして定義され得る。アンテナ１１０は、複数のアンテナ放射素子を有するアンテナアレイを備え得る。ダウンチルト判断構成要素１２０および電力増幅器１３０は、アンテナ１１０を介して送信されるべき波形を定義する１つまたは複数の入力信号１３５を受信する基地局またはｅノードＢ１００の一部を形成し得る。ダウンチルト判断構成要素１２０は、送信されるべき波形を定義する１つまたは複数の入力信号１３５に基づいて、アンテナの少なくとも一部分に適用されるべきチルト角に対応するチルト角状態を判断するように構成され得る。たとえば、１つまたは複数の入力信号１３５は、シングルセルユニキャスト信号などの非協調波形、あるいはマルチセルユニキャスト信号またはブロードキャスト信号などの協調波形、あるいはそのような信号のシーケンスになるように波形を定義し得る。ダウンチルト判断構成要素１２０は、次いで、限定はしないが、非協調信号ダウンチルト角１１６または協調信号ダウンチルト角１１８など、波形についてのダウンチルト角に対応するダウンチルト状態を識別し得る。
【００１７】
一態様では、たとえば、図２の入力信号経時図１６０とダウンチルト角状態経時図１６２とを参照すると、１つまたは複数の入力信号１３５は、送信されるべきデータ１６４、ならびにそのデータがその上で送信されるべきである物理レイヤ波形のタイプを定義する制御情報１６６を含み得る。ダウンチルト判断構成要素１２０は、１つまたは複数の入力信号１３５の少なくとも一部分を電力増幅器１３０に出力し得、電力増幅器１３０は、今度は、送信されるべき波形に対応する増幅された無線周波（ＲＦ）信号１３２を出力する。ダウンチルト判断構成要素１２０はまた、１つまたは複数の入力信号１３５に基づいて、アンテナ１１０のチルト角、たとえばダウンチルトを制御するチルト制御信号１２２を出力し得る。チルト制御信号１２２とＲＦ信号１３２とは、加算構成要素１３７などにおいて合成され、アンテナコントローラ１４０に送られ得る。いくつかの態様では、チルト制御信号１２２は、専用光制御インターフェースまたは専用電気制御インターフェース上で送信され得る。他の態様では、チルト制御信号１２２は、アンテナ１１０に接続された既存の無線周波（ＲＦ）ケーブル上で送信され得る。アンテナコントローラ１４０は、次いで、チルト制御信号１２２に従って１つまたは複数のアンテナ係数を調整し得る。たとえば、アンテナコントローラ１４０は、放射信号、たとえば非協調信号１１２または協調信号１１４の位相および／または振幅が調整されるように、アンテナ１１０の１つまたは複数の放射素子の１つまたは複数のアンテナ係数を調整し、それによって、ダウンチルト角、たとえばダウンチルト角１１６またはダウンチルト角１１８を調整し得る。さらに、これらの説明する態様におけるダウンチルト判断構成要素１２０の動作に基づいて、アンテナ１１０のダウンチルト角、たとえばダウンチルト角１１６またはダウンチルト角１１８は、送信されるべき波形に応じて時間とともに変動し得る。たとえば、ダウンチルト角は、１時間、１分、さらには１秒、または１秒未満以内に複数回変化し得る。たとえば、図２を参照すると、入力信号１３５は、アンテナ１１０による送信のために混合協調波形（Ｃ）１６８と非協調波形（ＮＣ）１７０とのシーケンスを定義する。所与の時間において送信されるべき波形が協調波形であるのか非協調波形であるのかに応じて、ダウンチルト角状態の対応する値１７２および１７４は変動する。図２は、協調波形１６８または非協調波形１７０に対応する単一のチルト角状態１７２または１７４を示しているが、各タイプの波形が２つ以上のチルト角状態に対応し得ることに留意されたい。たとえば、１つのタイプの波形、たとえば、協調１７２または非協調１７４は、１日の異なる時間中に異なるチルト角状態（したがってチルト角）を有し得るか、あるいは同じタイプのうちの異なるサブタイプの波形、たとえばユニキャストの場合の協調対ブロードキャストの場合の協調は、たとえば、対応するネットワークのそれぞれのサイズに基づいて異なるチルト角状態（したがってチルト角）を有し得るか、または両方の何らかの組合せを有し得る。また、異なる協調ユニキャスト送信は、様々な数のセルに関与し得る。たとえば、第１の協調ユニキャスト送信は２つのセルに関与し得るが、第２の協調ユニキャスト送信は４つのセルに関与し得る。各異なる協調ユニキャスト送信は、セルの数に基づいて異なるチルト角状態（したがって異なるチルト角）を有し得る。その上、チルト角状態の選択は、送信を受信すべきＵＥのロケーション／ジオメトリに基づき得る。
【００１８】
図３Ａに、ダウンチルト判断構成要素１２０をより詳細に示す。たとえば、ダウンチルト判断構成要素１２０は、アンテナダウンチルトを制御するために１つまたは複数の入力信号１３５を分析し、チルト制御信号１２２を生成するように連携して動作する、波形分析器３０２とチルト情報マネージャ３０４と調整判断器３０６と比較器３０８とを含み得る。さらに、ダウンチルト判断構成要素１２０は、１つまたは複数の入力信号１３５を受信し、１つまたは複数の入力信号１３５によって定義された波形に基づいて波形生成関数を適用し、たとえば、後続の増幅および送信のためにＲＦ信号１３２を出力するＲＦ信号発生器３１０を含む。ダウンチルト判断構成要素１２０は、基地局またはｅノードＢ１００上のどこかに実装され得るか、または基地局またはｅノードＢ１００と通信していることがある。たとえば、ダウンチルト判断構成要素１２０は、限定はしないが、チャネルカード内の構成要素、またはチャネルカードに関連する構成要素であり得る。
【００１９】
一態様では、波形分析器３０２は、１つまたは複数の入力信号１３５を受信し、明示的に示されたチルト角またはチルト角状態および／あるいは１つまたは複数の入力信号１３５によって示されたかまたは定義された波形のタイプを検出するように構成され得る。たとえば、一態様では、波形分析器３０２は、明示的チルト角信号またはチルト角状態信号、波形についてのチルト角、あるいはチルト角状態の値の明示的指示を含む１つまたは複数の入力信号１３５のうちの１つの一部分を識別または検出するように構成され得る。さらに、たとえば、明示的指示がない別の態様では、波形分析器３０２は、１つまたは複数の入力信号１３５がシングルセルユニキャスト波形などの非協調波形を定義するのか、あるいはマルチセルユニキャスト波形またはブロードキャスト波形などの協調波形を定義するのかを判断するように構成され得る。チルト情報マネージャ３０４は、現在のチルトを表す値と、各波形タイプに割り当てられるべきチルト角および／またはチルト角状態の１つまたは複数の値とを維持するように構成され得る。いくつかの態様では、１つまたは複数の入力信号１３５は、波形に対応するチルト角またはチルト角状態を明示的に定義する。他の態様では、チルト角またはチルト角状態は、波形タイプを判断するときに判断される。たとえば、各波形タイプは、１つまたは複数のチルト角またはチルト角状態に関連し得る。たとえば、チルト情報マネージャ３０４は、波形の識別されたタイプ、たとえば、協調１６８または非協調１７０をそれぞれのチルト角状態１７２、１７４にそれぞれ関連付け、および／または対応するチルト角に関連付けるリレーショナルデータベースまたはテーブルを維持し得る。その上、波形のタイプについてのチルト角状態またはチルト角は、１日の回数、ＵＥロケーション／ジオメトリ、送信するセルの数などの１つまたは複数の他のファクタにさらに基づき得る。さらに、チルト角状態またはチルト角は、波形の同じタイプの異なるサブタイプについて異なり得、たとえば、ユニキャストの場合の協調対ブロードキャストの場合の協調は、たとえば、対応する単一周波数ネットワークのそれぞれのサイズに基づいて異なるチルト角状態（したがってチルト角）を有し得る。上記で説明したように、異なる協調ユニキャスト送信は、様々な数のセルに関与し得る。各異なる協調ユニキャスト送信は、セルの数に基づいて異なるチルト角状態（したがって異なるチルト角）を有し得る。その上、チルト角状態の選択は、送信を受信すべきＵＥのロケーション／ジオメトリに基づき得る。いくつかの態様では、チルト角および／またはチルト角状態または他の関係するチルト制御情報は、たとえば、協調波形の場合のマルチメディアブロードキャストマルチキャストサービス（ＭＢＭＳ）協調エンティティ（ＭＣＥ）、または、たとえば、非協調波形の場合のモビリティ管理エンティティ（ＭＭＥ）などのネットワークエンティティから基地局またはｅノードＢ１００において受信され得る。いくつかの態様では、ＢＭ−ＳＣは、ＭＢＭＳ−ＧＷとＭＭＥとを通してＭＣＥに（たとえば、協調波形の場合の）チルト角および／またはチルト角状態または他の関係するチルト制御情報を示し得、次いで、ＭＣＥは、ｅＮＢまたは基地局１００にチルト角（またはチルト角状態または他の関係するチルト制御情報）を示し得る。いくつかの態様では、チルト角および／またはチルト角状態または他の関係するチルト制御情報は、１つまたは複数の入力信号１３５の受信より前に、ネットワークエンティティから基地局またはｅノードＢ１００において受信され得る。言い換えれば、この態様では、基地局またはｅノードＢ１００は、波形の各タイプについての１つまたは複数のチルト角状態および／または対応するチルト角、ならびに場合によっては上記で説明した追加のファクタを定義するデータで事前構成され得る。
【００２０】
一態様では、チルト角またはチルト角状態が１つまたは複数の入力信号１３５中に明示的に含まれないときなど、調整判断器３０６は、判断された波形タイプを受信し、波形タイプに基づいて、たとえば、チルト情報マネージャ３０４と、各波形タイプに割り当てられた１つまたは複数のチルト角またはチルト角状態を表す維持された値とを参照することによって、適用されるべき適切なチルト角またはチルト角状態を選択するように構成され得る。
【００２１】
さらに、比較器３０８は、現在のチルト角またはチルト角状態を、送信された波形に適用されるべき判断されたチルト角またはチルト角状態と比較するように構成され得、判断されたチルト角またはチルト角状態は、波形分析器３０２によって識別された１つまたは複数の入力信号１３５中に明示的に示されるか、あるいは調整判断器３０６によって１つまたは複数の入力信号１３５に基づいて判断される。現在の値と判断された値とが異なる場合、比較器３０８は、アンテナ１１０（図１）のダウンチルトを調整するためのチルト制御信号１２２（図１）を出力し得る。たとえば、チルト制御信号１２２はコントローラ１４０に送信され、それにより、コントローラ１４０に、要求されたチルト角調整を実装させ得る。いくつかの態様では、ダウンチルトを調整することは、送信されるべき波形の少なくとも一部分の位相を調整することを備える。他の態様では、送信されるべき波形の少なくとも一部分の振幅は、ダウンチルトを達成するように調整され得る。他の態様では、波形の少なくとも一部分の位相と振幅の両方は、所望のダウンチルト角を達成するように調整され得る。たとえば、一態様では、波形の少なくとも一部分の位相および／または振幅に対する調整は、アンテナ１１０を定義し得るアレイの複数の放射素子のサブセットにおいて波形を生成するために適用される少なくとも１つのアンテナ係数の位相および／または振幅を調整することによって行われ得る。
【００２２】
図３Ｂに、ＭＢＭＳ  ｏｖｅｒ  ａ  Ｓｉｎｇｌｅ  Ｆｒｅｑｕｅｎｃｙ  Ｎｅｔｗｏｒｋ（ＭＢＳＦＮ）サービスを提供またはサポートするためのワイヤレス通信システム３５０の機能エンティティを示す。サービス品質（ＱｏＳ）に関して、システム３５０は、保証ビットレート（ＧＢＲ：Guaranteed Bit Rate）タイプのＭＢＭＳベアラを使用し、最大ビットレート（ＭＢＲ：Maximum Bit Rate）はＧＢＲに等しい。これらの構成要素は、例として図示され説明されており、本明細書で説明する発明概念を限定せず、この発明概念は、マルチキャスト送信を配信し制御するための他のアーキテクチャおよび機能的分配に適応され得る。
【００２３】
システム３５０は、ＭＢＭＳゲートウェイ（ＭＢＭＳ  ＧＷ）３５２を含み得る。ＭＢＭＳ  ＧＷ３５２は、Ｍ１インターフェースを介したｅノードＢ３５４へのＭＢＭＳユーザプレーンデータのインターネットプロトコル（ＩＰ）マルチキャスト配信を制御し、多くの可能なｅＮＢのうちの１つのｅＮＢ３５４が示され、「Ｍ１」は、ＬＴＥについての技術仕様と関係する仕様とによって記述された論理インターフェースを指す。さらに、ＭＢＭＳ  ＧＷは、Ｍ１インターフェースを介したＵＴＲＡＮ無線ネットワークコントローラ（ＲＮＣ）３５６へのＭＢＭＳユーザプレーンデータのＩＰマルチキャスト配信を制御し、多くの可能なＲＮＣのうちの１つのＵＴＲＡＮ  ＲＮＣ３５６が示されている。Ｍ１インターフェースは、ＭＢＭＳデータ（ユーザプレーン）に関連付けられ、データパケットの配信のためにＩＰを利用する。ｅＮＢ３５４は、Ｅ−ＵＴＲＡＮ  Ｕｕインターフェースを介してＵＥ／モバイルエンティティ３５８にＭＢＭＳコンテンツを与え得、「Ｕｕ」は、ＬＴＥについての技術仕様と関係する仕様とによって記述されたエアインターフェースを指す。ＲＮＣ３５６は、Ｕｕインターフェースを介してＵＥモバイルエンティティ３６０にＭＢＭＳコンテンツを与え得る。ＭＢＭＳ  ＧＷ３５２はさらに、モビリティ管理エンティティ（ＭＭＥ）３６２とＳｍインターフェースとを介してＭＢＭＳセッション制御シグナリング、たとえばＭＢＭＳセッション開始およびセッション停止を実行し得、「Ｓｍ」は、ＬＴＥについての技術仕様と関係する仕様とによって記述された論理インターフェースを指す。ＭＢＭＳ  ＧＷ３５２はさらに、ＳＧ−ｍｂ（ユーザプレーン）基準点を通してＭＢＭＳベアラを使用して、エンティティのためのインターフェースを与え、ＳＧｉ−ｍｂ（制御プレーン）基準点を通してＭＢＭＳベアラを使用して、エンティティのためのインターフェースを与え得、「ＳＧ−ｍｂ」および「ＳＧｉ−ｍｂ」は、ＬＴＥについての技術仕様と関係する仕様とによって記述された論理インターフェースを指す。ＳＧ−ｍｂインターフェースは、ＭＢＭＳベアラサービス固有のシグナリングを搬送する。ＳＧｉ−ｍｂインターフェースは、ＭＢＭＳデータ配信のためのユーザプレーンインターフェースである。ＭＢＭＳデータ配信は、デフォルトモードであり得るＩＰユニキャスト送信によって、またはＩＰマルチキャスティングによって実行され得る。ＭＢＭＳ  ＧＷ３５２は、サービング汎用パケット無線サービスサポートノード（ＳＧＳＮ：Serving General Packet Radio Service Support Node）３６４とＳｎ／Ｉｕインターフェースとを介してＵＴＲＡＮ上でＭＢＭＳのための制御プレーン機能を与え得る。
【００２４】
システム３５０はさらに、マルチキャスト協調エンティティ（ＭＣＥ）３６６を含み得る。ＭＣＥ３６６は、ＭＢＭＳコンテンツのためのアドミッション制御機能を実行し、ＭＢＳＦＮ動作を使用したマルチセルＭＢＭＳ送信のためにＭＢＳＦＮエリアの中のすべてのｅＮＢによって使用される、時間および周波数の無線リソースを割り当て得る。ＭＣＥ３６６は、たとえば、変調およびコーディングの方式など、ＭＢＳＦＮエリアのための無線構成を判断し得る。ＭＣＥ３６６は、ＭＢＭＳコンテンツのユーザプレーン送信をスケジューリングおよび制御し、どのサービスがマルチキャストチャネル（ＭＣＨ）において多重化されるべきかを判断することによって、ｅＭＢＭＳサービスの多重化を管理し得る。ＭＣＥ３６６は、Ｍ３インターフェースを通してＭＭＥ３６２とのＭＢＭＳセッション制御シグナリングに参加し得、ｅＮＢ３５２との制御プレーンインターフェースＭ２を与え得、「Ｍ２」および「Ｍ３」は、ＬＴＥについての技術仕様と関係する仕様とによって記述された論理インターフェースを指す。
【００２５】
システム３５０はさらに、コンテンツプロバイダサーバ３７０と通信しているブロードキャストマルチキャストサービスセンター（ＢＭ−ＳＣ）３６８を含み得る。ＢＭ−ＳＣ３６８は、コンテンツプロバイダ３７０などの１つまたは複数のソースからのマルチキャストコンテンツの取り込み（intake）を処理し、以下で説明するように、他のより高いレベルの管理機能を与え得る。これらの機能は、たとえば、識別されたＵＥのためのＭＢＭＳサービスの認証および開始を含むメンバーシップ機能を含み得る。ＢＭ−ＳＣ３６８はさらに、ＭＢＭＳセッションおよび送信機能、ライブブロードキャストのスケジューリング、ならびにＭＢＭＳおよび関連する配信機能を含む配信を実行し得る。ＢＭ−ＳＣ３６８はさらに、マルチキャストに利用可能なコンテンツを通知するなど、サービスの通知および説明を提供し得る。別個のパケットデータプロトコル（ＰＤＰ）のコンテキストが、ＵＥとＢＭ−ＳＣとの間で制御メッセージを搬送するために使用され得る。ＢＭ−ＳＣはさらに、キー管理などのセキュリティ機能を与え、データ量およびＱｏＳなどのパラメータに従ってコンテンツプロバイダの課金を管理し、ＵＴＲＡＮにおいて、およびブロードキャストモードの場合Ｅ−ＵＴＲＡＮにおいて、ＭＢＭＳのためのコンテンツ同期を提供し、ＵＴＲＡＮにおいてＭＢＳＦＮデータのためのヘッダ圧縮を提供し得る。ＢＭ−ＳＣ３６８は、ＱｏＳおよびＭＢＭＳサービスエリアなどのセッション属性を含め、セッションの開始、更新、および停止をＭＢＭＳ−ＧＷ３５２に示し得る。
【００２６】
システム３５０はさらに、ＭＣＥ３６６およびＭＢＭＳ−ＧＷ３５２と通信しているマルチキャスト管理エンティティ（ＭＭＥ）３６２を含み得る。ＭＭＥ３６２は、Ｅ−ＵＴＲＡＮ上でＭＢＭＳのための制御プレーン機能を与え得る。さらに、ＭＭＥは、ＭＢＭＳ−ＧＷ３５２によって定義されたマルチキャスト関連情報をｅＮＢ３５４に与え得る。ＭＭＥ３６２とＭＢＭＳ−ＧＷ３５２との間のＳｍインターフェースは、ＭＢＭＳ制御シグナリング、たとえば、セッションの開始および停止信号を搬送するために使用され得る。
【００２７】
システム３５０はさらに、Ｐ−ＧＷと略されることがある、パケットデータネットワーク（ＰＤＮ）ゲートウェイ（ＧＷ）３７４を含み得る。Ｐ−ＧＷ３７４は、シグナリングおよび／またはユーザデータのために、ＵＥ３５８とＢＭ−ＳＣ３６８との間にＥｖｏｌｖｅｄ  Ｐａｃｋｅｔ  Ｓｙｓｔｅｍ（ＥＰＳ）ベアラを与え得る。したがって、Ｐ−ＧＷは、ＵＥに割り当てられたＩＰアドレスに関連する、ＵＥから発信したユニフォームリソースロケータ（ＵＲＬ）ベースの要求を受信し得る。ＢＭ−ＳＣ３６８はまた、Ｐ−ＧＷ３７４を介して１つまたは複数のコンテンツプロバイダにリンクされ得、Ｐ−ＧＷ３７４は、ＩＰインターフェースを介してＢＭ−ＳＣ３６８と通信し得る。
【００２８】
図４を参照すると、一態様では、基地局１００（図１）は、本明細書で説明する構成要素および機能のうちの１つまたは複数に関連する処理機能を実行するためのプロセッサ４０２を含み得る。プロセッサ４０２は、プロセッサまたはマルチコアプロセッサの単一または複数のセットを含むことができる。さらに、プロセッサ４０２は、統合処理システムおよび／または分散処理システムとして実装され得る。
【００２９】
基地局１００は、本明細書で使用するデータおよび／またはプロセッサ４０２によって実行されているアプリケーションのローカルバージョンを記憶するなどのためのメモリ４０４をさらに含む。メモリ４０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータによって使用可能な任意のタイプのメモリを含むことができる。
【００３０】
さらに、基地局１００は、本明細書で説明するように、ハードウェア、ソフトウェア、およびサービスを利用して、１つまたは複数のデバイスとの通信を確立し、維持することを提供する通信構成要素４０６を含み得る。通信構成要素４０６は、基地局１００上の構成要素間の通信を搬送し得、ならびに基地局１００と、通信ネットワーク上に位置するデバイス、および／または基地局１００に直列またはローカルに接続されたデバイスなどの外部デバイスとの間の通信を搬送し得る。たとえば、通信構成要素４０６は、１つまたは複数のバスを含み得、それぞれ送信機および受信機に関連する、外部デバイスとインターフェースするように動作可能な送信チェーン構成要素および受信チェーン構成要素をさらに含み得る。通信構成要素４０６はまた、たとえば、図１、図２、および図３に関して上記で説明した電力増幅器１３０、加算構成要素１３７、コントローラ１４０およびアンテナ１１０を含み得る。通信構成要素４０６は、バックホール接続上で、ならびに／あるいはアンテナ１１０および／または他の受信チェーン構成要素を介してワイヤレスにネットワーク構成要素（たとえば、ＭＣＥ３６６、ＭＭＥ３６２、またはＢＭ−ＳＣ３６８（図３Ｂ））から入力信号１３５を受信するように構成され得る。
【００３１】
さらに、基地局１００は、データストア４０８をさらに含み得、データストア４０８は、本明細書で説明する態様に関連して採用される情報、データベース、およびプログラムの大容量記憶を与えるハードウェアおよび／またはソフトウェアの任意の適切な組合せであり得る。たとえば、データストア４０８は、プロセッサ４０２によって現在実行されていないダウンチルト判断構成要素１２０などのアプリケーションのためのデータリポジトリであり得る。
【００３２】
基地局１００は、さらに、基地局１００のユーザから入力を受信するように動作可能であり、ユーザへの提示のための出力を生成するようにさらに動作可能なユーザインターフェース構成要素４１０を含み得る。ユーザインターフェース構成要素４１０は、限定はしないが、キーボード、ナンバーパッド、マウス、タッチセンシティブディスプレイ、ナビゲーションキー、ファンクションキー、マイクロフォン、ボイス認識構成要素、カメラ、および／またはユーザから入力を受信することが可能な他の機構、またはそれらの任意の組合せを含む、１つまたは複数の入力デバイスを含み得る。さらに、ユーザインターフェース構成要素４１０は、限定はしないが、ディスプレイ、スピーカー、触覚フィードバック機構、プリンタ、出力をユーザに提示することが可能な他の機構、またはそれらの任意の組合せを含む、１つまたは複数の出力デバイスを含み得る。
【００３３】
さらに、いくつかの態様では、基地局１００は、（基地局１００内の破線の構成要素によって示されるように）たとえば、チャネルカード内に位置するか、または場合によっては基地局１００と通信しているどこかに位置するダウンチルト判断構成要素１２０を含み得る。上述のように、ダウンチルト判断構成要素１２０は、図１、図２、および図３に関して上記で説明した機能を実装するように構成され得る。
【００３４】
図５に、波形タイプに基づいてチルト制御がそれに適用された例示的な送信アンテナアレイ５００を示す。アンテナアレイ５００は、本明細書で説明する教示の実装形態の一例にすぎず、他の構成が可能であることに留意されたい。図５に示すように、ＲＦ信号１３２が受信され得る。ＲＦ信号１３２は、その信号が、波形５０８を生成するために複数のアンテナ素子５０６を介して放射され得るように、１つまたは複数のスプリッタ５０２を使用して分割され得る。放射される前に、ＲＦ信号はシフタ５０４を通り得、シフタ５０４は、放射信号の位相および／または振幅を変動させるために１つまたは複数のアンテナ係数を変動させるように構成され得る。図１、図２、および図３に関して上記で説明したように判断されたチルト制御信号１２２は、位相および／または振幅が、送信された波形において所望のダウンチルト角を達成するために放射されるべき信号のタイプに従って変動するように、シフタ５０４の各々に適用され得る異なるシフト調整をもつ異なる成分を有し得る。
【００３５】
図６に、波形タイプに基づいてそれに適用されるチルト制御を有する別の例示的な送信アンテナアレイ６００を示す。この場合も、アンテナアレイ６００は、本明細書で説明する教示の実装形態の一例にすぎず、他の構成が可能であることに留意されたい。図５の場合のように、ＲＦ信号１３２は、たとえば、アンテナコントローラ１４０において受信され得る。ＲＦ信号１３２は、次いで、第１のスプリッタ６０２を介して２つの経路に分割され得る。さらに、アンテナアレイ６００を定義する複数のアンテナ素子６１０のサブセット６０８の位相および／または振幅を、たとえば、この場合１／２に変えるために、チルト制御信号１２２がシフタ６０４を介して適用され得る。シフタ６０４の配置は例にすぎず、他の配置が可能であることに留意されたい。第１のスプリッタ６０２とシフタ６０４とから出力された信号は、次いで、複数のアンテナ素子６１０のうちの対応するアンテナ素子６１０を介して放射される前に追加のスプリッタ６０６を横断し（traverse）得る。したがって、アンテナ６００を定義する複数のアンテナ素子６１０の一部分のみ、たとえばサブセット６０８が、ダウンチルト制御信号１２２に適用され得、ある態様では、送信された波形６１２において所望のダウンチルトを達成するために、同じ位相または振幅調整、あるいはその両方がアンテナ素子６１０のサブセット６０８に適用され得る。
【００３６】
図７に、１つまたは複数のアンテナ係数の振幅または位相を変動させるために使用され得る切り替え遅延位相シフタ７００を示す。図７に示すように、ＲＦ信号１３２は、各々が複数の遅延回路７０４の各々を横断する複数の信号を生成するために、マルチプレクサ７０２に通され得、遅延回路７０４の各々は、複数のチルト角またはチルト角状態の各々に対応する調整された位相および／または振幅を生じ得る。チルト制御信号１２２は、マルチプレクサ７０２とマルチプレクサ７０６とに入力され、それは、遅延回路７０４の出力を受信し、所望のダウンチルトを生成するためにアンテナによって放射されるべき調整された信号７０８として使用するために複数の出力のうちの１つを選択する。
【００３７】
図８に、１つまたは複数のアンテナ係数の振幅または位相を変動させるために使用され得る別の位相シフタ８００を示す。図８に示すように、ＲＦ信号１３２は直交位相ハイブリッド構成要素８０２において受信され、直交位相ハイブリッド構成要素８０２は無損失可変位相（no loss variable phase）（または振幅）ブロックとして働く。また、２つの調整された制御信号８０４および８０６は、チルト制御信号１２２が可変不整合構成要素８０８および８１０をそれぞれ通った後、直交位相ハイブリッド構成要素８０２において受信される。調整された制御信号８０４および８０６の状態は、位相（または振幅）調整を判断するために直交位相ハイブリッド構成要素８０２によって使用され得る。直交位相ハイブリッド構成要素８０２は、所望のチルト角を用いて波形を生成するための調整された送信信号８１２を生成する。
【００３８】
図９に、１つまたは複数のアンテナ係数の振幅または位相を変動させるために使用され得る１／４波位相シフタ９００を示す。図９に示すように、ＲＦ信号１３２は位相シフタ構成要素９０２において受信され、位相シフタ構成要素９０２は、この場合１／４波長位相シフタである。位相シフタ構成要素９０２はまた、制御信号１２２が可変不整合構成要素９０８および９１０をそれぞれ通った後、調整された制御信号９０４および９０６を受信する。調整された制御信号８０４および８０６の状態は、位相（および／または振幅）調整を判断するために位相シフタ構成要素９０２によって使用され得る。位相シフタ構成要素９０２は、所望のチルト角を用いて波形を生成するための調整された送信信号９１２を生成する。
【００３９】
次に図１０を参照すると、いくつかの態様に従って、混合協調／非協調ネットワークにおいてアンテナダウンチルトを制御するための方法１０００が示される。方法１０００は、たとえば、図１に示した基地局１００などの基地局によって実装され得る。１００２に示すように、基地局は、送信されるべき波形を定義する１つまたは複数の入力信号を受信し得る。１００４に示すように、基地局は、１つまたは複数の入力信号によって定義された波形のタイプを判断し得る。たとえば、いくつかの態様では、１つまたは複数の信号は、その上でデータが送信される物理レイヤ波形のタイプを定義し得る。入力信号は、たとえば、シングルセルユニキャスト波形、マルチセルＳＦＮユニキャスト波形、またはブロードキャストＳＦＮ波形を定義し得る。
【００４０】
１００６に示すように、基地局は、１つまたは複数の入力信号によって定義された波形のタイプに基づいてアンテナに適用されるべきチルト角状態を判断し得る。たとえば、基地局は、各波形タイプに割り当てられた少なくとも１つのチルト角状態の中でチルト角状態を選択するように構成され得る。１００８に示すように、チルト制御信号は、判断されたチルト角状態が、アンテナに関連する現在のチルト角状態とは異なる場合、送信され得る。
【００４１】
図１１を参照すると、混合協調／非協調ネットワークにおいてアンテナダウンチルトを制御する装置１１００は、少なくとも部分的に基地局１００内に常駐することができる。装置１１００は、機能ブロックを含むものとして表されており、その機能ブロックは、プロセッサ、ハードウェア、ソフトウェア、またはそれらの組合せ（たとえば、ファームウェア）によって実装される機能を表すことができることを諒解されたい。したがって、装置１１００は、連携して動作することができる電気的構成要素の論理グルーピング１１０２を含む。たとえば、論理グルーピング１１０２は、送信されるべき波形を定義する１つまたは複数の入力信号を受信するための手段（ブロック１１０４）を含むことができる。たとえば、一態様では、手段１１０４は、ＭＣＥまたはＭＭＥから１つまたは複数の入力信号を受信する通信構成要素４０６、および／またはプロセッサ４０２を含むことができる。さらに、論理グルーピング１１０２は、１つまたは複数の入力信号によって定義された波形のタイプを判断するための手段（ブロック１１０６）を含むことができる。一態様では、手段１１０６は、波形分析器３０２および／またはプロセッサ４０２によって実装され得る。論理グルーピング１１０２はまた、１つまたは複数の入力信号に基づいてアンテナに適用されるべきチルト角状態を判断するための手段（ブロック１１０８）を含むことができる。たとえば、一態様では、手段１１０８は、チルト調整判断器３０６および／またはプロセッサ４０２を含むことができる。また、論理グルーピング１１０２は、判断されたチルト角状態が、アンテナに関連する現在のチルト角状態とは異なる場合、チルト制御信号を送信するための手段（ブロック１１１０）を含むことができる。たとえば、一態様では、手段１１１０は、比較器３０８、コントローラ１４０、および／またはプロセッサ４０２を含むことができる。
【００４２】
さらに、装置１１００は、電気的構成要素１１０４〜１１１０に関連する機能を実行するための命令を保持するメモリ１１１２を含むことができる。メモリ１１１２の外部にあるものとして示されているが、電気的構成要素１１０４〜１１１０のうちの１つまたは複数は、メモリ１１１２の内部に存在することができることを理解されたい。一態様では、たとえば、メモリ１１１２は、メモリ４０４またはデータストア４０８（図４）と同じまたは同様であり得る。
【００４３】
図１２を参照すると、表１２００は、本態様について上記で説明したように、送信された波形に基づいてダウンチルト角を調整することによって、ネットワーク容量が改善され得ることを示すシミュレーションからの結果を含む。シミュレーションは、サイトが３つのリングに分類された１９サイトフラットモデルを含んでいた。中心リング（または中心ｅノードＢ）は１つのサイト（または３つのセル）を有していた。中間リングは６つのサイト（または１８個のセル）を有していた。外側リングは１２個のサイト（または３６個のセル）を有していた。このシミュレーションでは、すべてのＵＥは一様に中心リングの３つのセル中にのみ入った。
【００４４】
本明細書で説明する装置および方法を適用すると、表１２００に示すように物理レイヤにおいて、より高いサポート可能なデータレートを取得することができる。
【００４５】
非協調アンテナダウンチルトを用いた協調波形の場合のシミュレーション結果は、概して、アンテナダウンチルトを用いない、たとえば、協調ダウンチルト、または言い換えれば非協調ダウンチルトよりも小さいダウンチルトを用いたシミュレーション結果よりも小さい。Ｄ１のケースにおける結果は、大きい度数のアンテナダウンチルトがシステム性能を著しく低下させることがあることを示すことに留意されたい。したがって、ｅＭＢＭＳサブフレームなどの協調パケットが送信中であるときはいつでも、アンテナダウンチルトをオフにするか、またはダウンチルト角をより小さい協調ダウンチルト角に調整することが好適であり得る。シミュレーション結果はまた、地方のケースにおける送信信号は、透過損失がより低く、伝搬損失がより小さくなり得るので、最大データレートは、概して、都市エリアおよび郊外エリアよりも地方エリア（または低い郊外エリア）のほうが良好であることを示す。
【００４６】
さらに、ｅＭＢＭＳサービスエリアが協調送信のみを備えるとき、セルサイズの変化が中心サイトにおけるシステム性能にどのように影響を及ぼすかを知ることが重要である。表１２００は、システム中のすべてのＵＥからの受信したパケットＳＮＲ（信号対干渉雑音比）分布のシミュレーション結果を与える。その分布は、ＳＮＲが、異なるセルサイズのケース間でどのように比較されるかの全体図を与えるが、それらは、各個々のＵＥのＳＮＲ分布とは異なる。要約すれば、協調送信のみを有するサービスエリアは、概して（一般に５００ｍ未満の）より小さいセルサイズをもつ高密度都市エリアにおいて著しくより高い最大データレートを有する。セルサイズが増大するにつれて、最大データレートは、地方エリアを除いて減少する。分析された伝搬モデルに基づいて、地方エリアは、都市エリアまたは郊外エリアの最大データレートよりも高い最大データレートを有し得る。
【００４７】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、ならびに／あるいはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００４８】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【００４９】
さらに、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替えのいずれかを意味するものとする。つまり、「ＸはＡまたはＢを使用する」という句は、以下の場合、すなわち、ＸがＡを使用する場合、ＸがＢを使用する場合、またはＸがＡとＢの両方を使用する場合のうちのいずれかによって満足される。その上、本出願と添付の特許請求の範囲とで使用されるとき、冠詞「ａ」と「ａｎ」とは、別段指定されない限り、または単数形を対象とすべきであると文脈から明らかでない限り、通常、「１つまたは複数」を意味すると解釈されるべきである。
【００５０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無資格スペクトル（unpaired unlicensed spectrums）、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００５１】
様々な態様または特徴が、いくつかのデバイス、構成要素、モジュールなどを含み得るシステムに関して提示される。様々なシステムは、追加のデバイス、構成要素、モジュールなどを含み得、および／または各図に関連して論じるデバイス、構成要素、モジュールなどのすべてを含まないことがあることを理解および諒解されたい。これらの手法の組合せも使用され得る。
【００５２】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。
【００５３】
さらに、本明細書で開示する態様に関して説明する方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００５４】
１つまたは複数の態様では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶され得るか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００５５】
上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［１］混合協調／非協調ネットワークにおいてアンテナダウンチルトを制御するための方法であって、
送信されるべき波形を定義する１つまたは複数の入力信号を受信することと、
前記１つまたは複数の入力信号によって定義された前記波形のタイプを判断することと、
前記波形の前記タイプに基づいてアンテナに適用されるべきチルト角状態を判断することと、
前記判断されたチルト角状態が、前記アンテナに関連する現在のチルト角状態とは異なる場合、前記角の前記ダウンチルトを調整するためにチルト制御信号を送信することと
を備える、方法。
［２］前記１つまたは複数の入力信号が、前記波形に対応する前記チルト角状態を明示的に定義する、［１］に記載の方法。
［３］前記１つまたは複数の入力信号が、その上でデータが送信されるべき物理レイヤ波形の前記タイプを定義する、［１］に記載の方法。
［４］適用されるべき前記チルト角状態を判断することが、前記判断されたタイプに対応する記憶されたチルト角状態を取り出すことをさらに備える、［１］に記載の方法。
［５］波形の前記タイプを判断することは、前記入力信号がシングルセルユニキャスト波形であるのか、マルチセルＳＦＮユニキャスト波形であるのか、またはブロードキャストＳＦＮ波形であるのかを判断することを備える、［１］に記載の方法。
［６］波形の各タイプが、異なるチルト角状態に対応する、［５］に記載の方法。
［７］適用されるべきチルト角状態を判断することが、各波形タイプに割り当てられた少なくとも１つのチルト角状態の中でチルト角状態を選択することを備える、［５］に記載の方法。
［８］前記マルチセルユニキャスト波形と前記ブロードキャスト波形とが協調波形を備える、［５］に記載の方法。
［９］前記波形が、複数の異なるタイムスロット中に複数の異なるチャネルを備え、前記アンテナの前記ダウンチルト状態を調整することが、異なる判断されたアンテナチルト角状態に対応する異なる判断された波形タイプを有する２つの連続するタイムスロットの各々の間の前記ダウンチルト状態を変更することをさらに備える、［１］に記載の方法。
［１０］前記１つまたは複数の入力信号が、時間期間中に送信されるべき複数の異なる波形を表し、前記チルト制御信号を送信することが、前記複数の異なる波形の各々に対応するチルト角状態のシーケンスを備える複数のチルト制御信号を送信することをさらに備え、前記方法が、
前記複数のチルト制御信号中のチルト角状態の前記シーケンスに基づいて前記時間期間にわたって前記アンテナの前記ダウンチルトを調整すること
をさらに備える、［１］に記載の方法。
［１１］前記アンテナの前記ダウンチルトを調整することが、１時間未満で複数回前記ダウンチルトを変更することをさらに備える、［１０］に記載の方法。
［１２］前記アンテナの前記ダウンチルトを調整することが、１分未満で複数回前記ダウンチルトを変更することをさらに備える、［１０］に記載の方法。
［１３］前記アンテナの前記ダウンチルトを調整することが、１秒未満で複数回前記ダウンチルトを変更することをさらに備える、［１０］に記載の方法。
［１４］前記チルト制御信号が、前記波形の一部分の送信位相を調整するための制御信号を備える、［１０］に記載の方法。
［１５］前記アンテナがアンテナアレイを備え、前記波形の前記一部分の前記送信位相を調整することが、前記アンテナアレイのサブセットに対応する複数のアンテナ係数のサブセットの前記位相を調整することを備える、［１４］に記載の方法。
［１６］適用されるべきチルト角状態を判断することが、ネットワーク制御エンティティからチルト制御情報を受信することを備える、［１］に記載の方法。
［１７］前記チルト制御情報が、マルチメディアブロードキャストマルチキャストサービス（ＭＢＭＳ）協調エンティティ（ＭＣＥ）またはモビリティ管理エンティティ（ＭＭＥ）のうちの少なくとも１つから受信または導出されたタイミングとダウンチルト状態とを備える、［１６］に記載の方法。
［１８］前記アンテナが、複数のアンテナアレイ素子を有するアンテナアレイを備え、前記チルト制御信号が、前記複数のアンテナアレイ素子のうちの少なくとも１つのために前記波形の送信位相を調整するための制御信号を備える、［１］に記載の方法。
［１９］前記アンテナが、複数のアンテナアレイ素子を有するアンテナアレイを備え、前記チルト制御信号が、前記複数のアンテナアレイ素子のうちの少なくとも１つのために前記波形の送信振幅を調整するための制御信号を備える、［１］に記載の方法。
［２０］前記アンテナが、複数のアンテナアレイ素子を有するアンテナアレイを備え、前記チルト制御信号が、前記複数のアンテナアレイ素子のうちの少なくとも１つのために前記波形の送信位相と送信振幅とを調整するための制御信号を備える、［１］に記載の方法。
［２１］前記波形のサブタイプを判断することをさらに備え、前記波形の同じタイプについての前記チルト角状態が、前記波形の前記サブタイプに応じて変動する、［１］に記載の方法。
［２１］前記波形の前記タイプが協調タイプを備え、前記波形の前記サブタイプがユニキャストサブタイプまたはブロードキャストサブタイプを備える、［２１］に記載の方法。
［２３］前記チルト角状態を判断することが前記ネットワークのサイズにさらに基づき、前記波形の同じタイプについての前記チルト角状態が、前記ネットワークの前記サイズに応じて変動する、［１］に記載の方法。
［２４］前記チルト角状態を判断することが時刻にさらに基づき、前記波形の同じタイプについての前記チルト角状態が、前記時刻に応じて変動する、［１］に記載の方法。
［２５］前記チルト制御信号に基づいて前記アンテナの前記ダウンチルトを調整すること
をさらに備える、［１］に記載の方法。
［２６］前記アンテナが、複数のアンテナアレイ素子を有するアンテナアレイを備え、前記アンテナの前記ダウンチルトを調整することが、前記複数のアレイ素子のうちの少なくとも１つのために前記波形の前記位相を調整するための切り替え遅延位相シフタに前記制御信号を印加することを備える、［２５］に記載の方法。
［２７］前記アンテナが、複数のアンテナアレイ素子を有するアンテナアレイを備え、前記アンテナを調整することが、前記複数のアレイ素子のうちの少なくとも１つのために前記波形の前記位相を調整するためのハイブリッドベース位相シフタに前記制御信号を印加することを備える、［２５］に記載の方法。
［２８］前記アンテナが、複数のアンテナアレイ素子を有するアンテナアレイを備え、前記アンテナを調整することが、前記複数のアレイ素子のうちの少なくとも１つのために前記波形の前記位相を調整するための１／４波長位相シフタに前記制御信号を印加することを備える、［２５］に記載の方法。
［２９］混合協調／非協調ネットワークにおいてアンテナダウンチルトを制御するための装置であって、
送信されるべき波形を定義する１つまたは複数の入力信号を受信することと、
前記１つまたは複数の入力信号によって定義された前記波形のタイプを判断することと、
前記１つまたは複数の入力信号によって定義された前記波形の前記タイプに基づいて前記アンテナに適用されるべきチルト角状態を判断することと、
前記アンテナに関連する現在のチルト角状態を前記判断されたチルト角状態と比較することと、前記現在のチルト角状態と前記判断されたチルト角状態とが異なる場合、前記角の前記ダウンチルトを調整するためにチルト制御信号を送信することと
を行うように構成された少なくとも１つのプロセッサと、
前記少なくとも１つのプロセッサに結合されたメモリと
を備える、装置。
［３０］前記１つまたは複数の入力信号が、前記波形に対応する前記チルト角状態を明示的に定義する、［２９］に記載の装置。
［３１］前記プロセッサが、前記判断されたタイプに対応する記憶されたチルト角を取り出すようにさらに構成された、［２９］に記載の装置。
［３２］前記プロセッサは、前記１つまたは複数の入力信号がシングルセルユニキャスト波形であるのか、マルチセルＳＦＮユニキャスト波形であるのか、またはブロードキャストＳＦＮ波形であるのかを判断するようにさらに構成された、［２９］に記載の装置。
［３３］波形の各タイプが、異なるチルト角状態に対応する、［３２］に記載の装置。
［３４］前記プロセッサが、各波形タイプに割り当てられた少なくとも１つのチルト角状態の中でチルト角を選択するようにさらに構成された、［３２］に記載の装置。
［３５］前記マルチセルユニキャスト波形と前記ブロードキャスト波形とが協調波形を備える、［３２］に記載の装置。
［３６］前記波形が、複数の異なるタイムスロット中に複数の異なるチャネルを備え、前記プロセッサが、異なる判断されたチルト角状態に対応する異なる判断された波形タイプを有する２つの連続するタイムスロットの各々の間の前記ダウンチルト状態を変更するようにさらに構成された、［２９］に記載の装置。
［３７］前記１つまたは複数の入力信号が、時間期間中に送信されるべき複数の異なる波形を表し、前記プロセッサが、前記複数の異なる波形の各々に対応するチルト角状態のシーケンスを備える複数のチルト制御信号を送信し、前記複数のチルト制御信号中のチルト角状態の前記シーケンスに基づいて前記時間期間にわたって前記アンテナの前記ダウンチルトを調整するようにさらに構成された、［２９］に記載の装置。
［３８］前記チルト制御信号が、前記波形の一部分の送信位相を調整するための制御信号を備える、［３７］に記載の装置。
［３９］前記アンテナがアンテナアレイを備え、前記プロセッサが、前記アンテナアレイのサブセットに対応する複数のアンテナ係数のサブセットの前記位相を調整するようにさらに構成された、［３８］に記載の装置。
［４０］前記プロセッサが、ネットワーク制御エンティティからチルト制御情報を受信するようにさらに構成された、［２９］に記載の装置。
［４１］前記チルト制御情報が、マルチメディアブロードキャストマルチキャストサービス（ＭＢＭＳ）協調エンティティ（ＭＣＥ）またはモビリティ管理エンティティ（ＭＭＥ）のうちの少なくとも１つから受信または導出されたタイミングとダウンチルト状態とを備える、［４０］に記載の装置。
［４２］前記アンテナが、複数のアンテナアレイ素子を有するアンテナアレイを備え、前記チルト制御信号が、前記複数のアンテナアレイ素子のうちの少なくとも１つのために前記波形の送信位相を調整するための制御信号を備える、［２９］に記載の装置。
［４３］前記アンテナが、複数のアンテナアレイ素子を有するアンテナアレイを備え、前記チルト制御信号が、前記複数のアンテナアレイ素子のうちの少なくとも１つのために前記波形の送信振幅を調整するための制御信号を備える、［２９］に記載の装置。
［４４］前記アンテナが、複数のアンテナアレイ素子を有するアンテナアレイを備え、前記チルト制御信号が、前記複数のアンテナアレイ素子のうちの少なくとも１つのために前記波形の送信位相と送信振幅とを調整するための制御信号を備える、［２９］に記載の装置。
［４５］前記プロセッサが、前記波形のサブタイプを判断するようにさらに構成され、波形の同じタイプについての前記チルト角状態が、前記波形の前記サブタイプに応じて変動する、［２９］に記載の装置。
［４６］波形の前記タイプが協調タイプを備え、前記波形の前記サブタイプがユニキャストサブタイプまたはブロードキャストサブタイプを備える、［４５］に記載の装置。
［４７］前記プロセッサが、前記ネットワークのサイズに基づいて前記チルト角状態を判断するようにさらに構成され、前記波形の同じタイプについての前記チルト角状態が、前記ネットワークの前記サイズに応じて変動する、［２９］に記載の装置。
［４８］前記プロセッサが、時刻に基づいて前記チルト角状態を判断するようにさらに構成され、前記波形の同じタイプについての前記チルト角状態が、前記時刻に応じて変動する、［２９］に記載の装置。
［４９］前記プロセッサが、前記チルト制御信号に基づいて前記アンテナの前記ダウンチルトを調整するようにさらに構成された、［２９］に記載の装置。
［５０］前記アンテナが、複数のアンテナアレイ素子を有するアンテナアレイを備え、前記プロセッサが、前記複数のアレイ素子のうちの少なくとも１つのために前記波形の前記位相を調整するための切り替え遅延位相シフタに前記チルト制御信号を印加するように構成された、［４９］に記載の装置。
［５１］前記アンテナが、複数のアンテナアレイ素子を有するアンテナアレイを備え、前記プロセッサが、前記複数のアレイ素子のうちの少なくとも１つのために前記波形の前記位相を調整するためのハイブリッドベース位相シフタに前記チルト制御信号を印加するように構成された、［４９］に記載の装置。
［５２］前記アンテナが、複数のアンテナアレイ素子を有するアンテナアレイを備え、前記プロセッサが、前記複数のアレイ素子のうちの少なくとも１つのために前記波形の前記位相を調整するための１／４波位相シフタに前記チルト制御信号を印加するように構成された、［４９］に記載の装置。
［５３］コンピュータに、送信されるべき波形を定義する１つまたは複数の入力信号を受信させるための少なくとも１つの命令と、
前記コンピュータに、前記１つまたは複数の入力信号によって定義された前記波形のタイプを判断させるための少なくとも１つの命令と、
前記コンピュータに、前記１つまたは複数の入力信号によって定義された前記波形の前記タイプに基づいて前記アンテナに適用されるべきチルト角状態を判断させるための少なくとも１つの命令と、
前記コンピュータに、前記アンテナに関連する現在のチルト角状態を前記判断されたチルト角状態と比較することと、前記現在のチルト角状態と前記判断されたチルト角状態とが異なる場合、前記角の前記ダウンチルトを調整するためにチルト制御信号を送信することとを行わせるための少なくとも１つの命令と
を備える、コンピュータ可読媒体。
［５４］送信されるべき波形を定義する１つまたは複数の入力信号を受信するための手段と、
前記１つまたは複数の入力信号によって定義された前記波形のタイプを判断するための手段と、
前記１つまたは複数の入力信号によって定義された前記波形の前記タイプに基づいてアンテナに適用されるべきチルト角状態を判断するための手段と、
前記判断されたチルト角状態が、前記アンテナに関連する現在のチルト角状態とは異なる場合、前記角の前記ダウンチルトを調整するためにチルト制御信号を送信するための手段と
を備える、装置。
【図１】
0005925889.tif 000002
【図２】
0005925889.tif 000003
【図３Ａ】
0005925889.tif 000004
【図３Ｂ】
0005925889.tif 000005
【図４】
0005925889.tif 000006
【図５】
0005925889.tif 000007
【図６】
0005925889.tif 000008
【図７】
0005925889.tif 000009
【図８】
0005925889.tif 000010
【図９】
0005925889.tif 000011
【図１０】
0005925889.tif 000012
【図１１】
0005925889.tif 000013
【図１２】
0005925889.tif 000014